(57)【要約】      （修正有）【課題】携帯し易く、内部を簡単に洗浄することができる、携帯型ストローを提供することを目的としている。【解決手段】携帯を容易にした、繰り返し使用できるストローであって、複数のストロー組立部材１０を備え、各ストロー組立部材１０が中空管体であり、任意の二つのストロー組立部材１０の間には、該ストロー組立部材１０上に形成された連結部材２０が設けられ、該連結部材２０は、前記二つのストロー組立部材１０を互いに連結するために用いられることを特徴とする。【選択図】図２
0003227586.tif 000002
【実用新案登録請求の範囲】
【請求項１】
携帯を容易にした、繰り返し使用できるストローであって、複数のストロー組立部材を備え、各ストロー組立部材が中空管体であり、任意の二つのストロー組立部材の間には、該ストロー組立部材上に形成された連結部材が設けられ、該連結部材は、前記二つのストロー組立部材を互いに連結するために用いられることを特徴とする携帯型ストロー。
【請求項２】
前記連結部材は、前記ストロー組立部材の一端に形成される連結凸部と、他端に形成される連結凹部とを含み、一方の連結凸部が他方の連結凹部に嵌合されることにより、隣接する二つのストロー組立部材が連結されることを特徴とする請求項１に記載の携帯型ストロー。
【請求項３】
前記連結凸部の外周壁面上に環状突起が設けられ、前記連結凹部の内周壁面上に、前記環状突起と対応するように、環状溝が形成されることを特徴とする請求項２に記載の携帯型ストロー。
【請求項４】
前記二つのストロー組立部材が連結された状態下において、一方のストロー組立部材における前記連結凸部が形成される一端の周縁が、連結相手の他方のストロー組立部材上の連結凹部の開口周縁に当接することを特徴とする請求項２に記載の携帯型ストロー。
【請求項５】
前記ストロー組立部材の内周壁面上に段差部が形成され、前記二つのストロー組立部材が連結される状態下において、前記一方の連結凸部の端部が、連結相手の他方の段差部に当接することを特徴とする請求項２に記載の携帯型ストロー。
【請求項６】
前記二つのストロー組立部材が連結される状態下において、前記一方の連結凸部の外周壁面が、連結相手の他方のストロー組立部材の内周壁面に密着することを特徴とする請求項２に記載の携帯型ストロー。
【請求項７】
前記連結凸部の外周壁面上に環状突起が設けられ、前記連結凹部の内周壁面上に、該環状突起と対応するように、環状溝が形成され、
前記二つのストロー組立部材が連結された状態下において、一方のストロー組立部材における前記連結凸部が形成される一端の周縁が、連結相手の他方のストロー組立部材上の連結凹部の開口周縁に当接し、
前記ストロー組立部材の内周壁面上に段差部が形成され、前記二つのストロー組立部材が連結される状態下において、前記一方の連結凸部の端部が、連結相手の他方の段差部に当接し、
前記二つのストロー組立部材が連結される状態下において、前記一方の連結凸部の外周壁面が、連結相手の他方のストロー組立部材の内周壁面に密着する
ことを特徴とする請求項２に記載の携帯型ストロー。
【請求項８】
前記連結部材は、前記ストロー組立部材の一端に形成される大径部と、他端に形成される小径部とを含み、該小径部の外径が前記大径部の内径より小さいことを特徴とする請求項１に記載の携帯型ストロー。
【請求項９】
前記二つのストロー組立部材が前記連結部材の螺合により連結されることを特徴とする請求項１に記載の携帯型ストロー。
【請求項１０】
前記少なくとも二つのストロー組立部材がシリコンゴムにより製造されることを特徴とする請求項１から請求項９のいずれか一項に記載の携帯型ストロー。
【請求項１１】
前記ストローが、湾曲状を呈する湾曲管材をさらに含み、該湾曲管材の一端が前記ストロー組立部材に連結可能であることを特徴とする請求項１から請求項９のいずれか一項に記載の携帯型ストロー。
【請求項１２】
前記ストローが、一端が尖った形状を呈し、他端が前記ストロー組立部材に連結可能である突刺し管材をさらに含むことを特徴とする請求項１から請求項９のいずれか一項に記載の携帯型ストロー。
【考案の詳細な説明】
【技術分野】
【０００１】
本考案は、ストローに関し、特に、携帯を容易にした、繰り返し使用可能なストローに関するものである。
【背景技術】
【０００２】
ストローは、飲料品を吸引する道具としてよく使われているが、一般的によく使われているストローの多くは使い捨てタイプであることから、各国政府が環境保護に積極的に取り組んではいるが、ゴミ問題の深刻化に拍車をかけていると指摘されている。
【０００３】
上記の問題に鑑み、関連業者は、繰り返し使用可能なストローを開発したが、既存のストローは、その長さが長いため、携帯に不便であり、かつ内部をきれいに洗浄できないという問題があった。
【考案の概要】
【考案が解決しようとする課題】
【０００４】
本考案は、前記の従来技術の欠点に鑑みてなされたものであり、携帯し易く、内部を簡単に洗浄することができる、携帯型ストローを提供することを目的としている。
【課題を解決するための手段】
【０００５】
上記目的を達成するために、本考案は、携帯を容易にした、繰り返し使用できるストローであって、複数のストロー組立部材を備え、各ストロー組立部材が中空管体であり、任意の二つのストロー組立部材の間には、該ストロー組立部材上に連結部材が形成された連結部材が設けられ、該連結部材は、前記二つのストロー組立部材を互いに連結するために用いられることを特徴とする。
【０００６】
さらに、前記連結部材は、前記ストロー組立部材の一端に形成される連結凸部と、他端に形成される連結凹部とを含み、一方の連結凸部が他方の連結凹部に嵌合されることにより、隣接する二つの該ストロー組立部材が連結されることを特徴とする。
【０００７】
さらに、前記連結凸部の外周壁面上に環状突起が設けられ、前記連結凹部の内周壁面上に、前記環状突起と対応するように、環状溝が形成されることを特徴とする。
【０００８】
さらに、前記二つのストロー組立部材が連結された状態下において、一方のストロー組立部材における前記連結凸部が形成される一端の周縁が、連結相手の他方のストロー組立部材上の連結凹部の開口周縁に当接することを特徴とする。
【０００９】
さらに、前記ストロー組立部材の内周壁面上に段差部が形成され、前記二つのストロー組立部材が連結される状態下において、前記一方の連結凸部の端部が、連結相手の他方の段差部に当接することを特徴とする。
【００１０】
さらに、前記二つのストロー組立部材が連結される状態下において、前記一方の連結凸部の外周壁面が、連結相手の他方のストロー組立部材の内周壁面に密着する。
【００１１】
さらに、前記連結部材は、前記ストロー組立部材の一端に形成される大径部と、他端に形成される小径部とを含み、該小径部の外径が前記大径部の内径より小さいことを特徴とする。
【００１２】
さらに、前記二つのストロー組立部材が前記連結部材の螺合により連結されることを特徴とする。
【００１３】
さらに、前記少なくとも二つのストロー組立部材がシリコンゴムにより製造されることを特徴とする。
【００１４】
さらに、前記ストローが、湾曲状を呈する湾曲管材と先端が尖った形状を呈する突刺し管材をさらに含み、該湾曲管材の一端が、前記ストロー組立部材に連結され、該突刺し管材における尖った形状を呈する先端の反対端が、前記ストロー組立部材に連結されることを特徴とする。
【考案の効果】
【００１５】
本考案は、前記連結部材を介して、組立や分解することが可能であることから、使用しない時に、ストローを分解して簡単に収納でき、使用時には、前記連結部材を利用して、隣接するストロー組立部材を互いに連結してストローを形成する。前記ストロー組立部材は、一般的に利用されているストローと比べると、その長さがかなり短いので、洗浄が容易で、且つ携帯し易く、さらに、前記複数のストロー組立部材のうちのいずれかが破損したり紛失したりした場合、当該ストロー組立部材を取り換えればよいだけであることから、既存の繰り返し使用可能なストローのように、ストローをすべて捨てることはないので、経済的であり、且つ環境にも優しい。
【図面の簡単な説明】
【００１６】
【図１】本考案の第１の好適な実施例を示す外観斜視図である。
【図２】本考案の第１の好適な実施例を示す断面図である。
【図３】本考案の第１の好適な実施例を示す分解斜視図である。
【図４】図３における、丸枠Ａで囲まれた部分を示す部分拡大図である。
【図５】本考案の第１の好適な実施例の変形例を示す分解斜視図である。
【図６】図５における、丸枠Ｂで囲まれた部分を示す部分拡大図である。
【考案を実施するための形態】
【００１７】
以下、図面及び本考案の好ましい実施形態と合わせて、本考案が所期の目的を達成するために採用する技術手段について更に述べる。
【００１８】
図１〜図４に示すように、本考案に係る携帯型ストローは、複数のストロー組立部材１０を備え、各ストロー組立部材１０は、中空管体である。
【００１９】
任意の二つのストロー組立部材１０の間には、ストロー組立部材１０上に形成された連結部材２０が設けられ、該連結部材２０は、前記２つのストロー組立部材１０を互いに連結するために用いられる。
【００２０】
本考案の第１の好適な実施例においては、前記連結部材２０は、前記ストロー組立部材１０の一端に形成される連結凸部２１と、他端に形成される連結凹部２２とを含み、一方の連結凸部２１が、他方の連結凹部２２に嵌合されることにより、隣接する当該両ストロー組立部材１０が連結される。
【００２１】
詳しく述べると、前記二つのストロー組立部材１０が連結される状態下にて、一方のストロー組立部材１０における連結凸部２１が形成される一端の周縁が、連結相手の他方のストロー組立部材１０上の連結凹部２２の開口周縁に当接し、これにより、当該両ストロー組立部材１０との間の連結状態をより一層強固にし、また、該一方の連結凸部２１の外周壁面が、連結相手の他方のストロー組立部材１０の内周壁面に密着することで、当該両ストロー組立部材１０の間の連結状態をより一層安定的に保持する。
【００２２】
また、前記ストロー組立部材１０の内周壁面上に段差部１１が形成され、該二つのストロー組立部材１０が連結される状態下において、前記一方の連結凸部２１の端部が、連結相手の他方の段差部１１に当接し、これにより、連結されている二つのストロー組立部材１０の間の連結関係をより一層強固に支持する。
【００２３】
さらに、前記連結凸部２１の外周壁面上に環状突起２３が形成され、前記連結凹部２２の内周壁面上に、該環状突起２３と対応するように、環状溝２４が形成され、前記二つのストロー組立部材１０が連結される状態下において、一方のストロー組立部材１０の環状突起２３が、他方の該ストロー組立部材１０の環状溝２４に嵌め込まれることにより、連結されている二つのストロー組立部材１０の間において、液体や気体の漏れを防止すると共に、当該両ストロー組立部材１０の間の連結状態をより一層安定的に保持する。
【００２４】
図５〜図６に示すように、本考案の第１の好適な実施例の変形例によると、前記連結凸部２１の長さが、前記ストロー組立部材１０の長さの三分の一から二分の一程度に形成され、前記連結凹部２２の深さが、該連結凸部２１の長さと対応するように形成され、これにより、二つのストロー組立部材１０が連結される状態下にて、一方の連結凸部２１の外周壁面と、連結相手の他方のストロー組立部材１０の内周壁面との接触面積が増え、より高い密封性、安定的な保持性、強固的な支持性を確保している。
【００２５】
本考案の第２の好適な実施例（図示せず）においては、前記連結部材２０は、前記ストロー組立部材１０の一端に形成される大径部と、他端に形成される小径部とを含み、該小径部の外径は、該大径部の内径より小さいことから、二つのストロー組立部材１０を連結させようとする際に、一方のストロー組立部材１０の小径部を、他方のストロー組立部材１０の大径部に挿入して嵌合させれば、二つのストロー組立部材１０を簡単に繋ぎ合わせることができる。
【００２６】
本考案の第３の好適な実施例（図示せず）においては、前記二つのストロー組立部材１０が、前記連結部材２０の螺合により連結されることから、連結されている二つのストロー組立部材１０の間で、液体や気体の漏れを防止できると共に、連結状態をより一層強固に保持できる。
【００２７】
上述した各実施例においては、前記ストロー組立部材１０及び連結部材２０が、シリコンゴムから製造されることが好ましく、二つのストロー組立部材１０が連結される状態下にて、シリコンゴムの密着性と柔軟性により、優れた密封効果が得られるので、液体又は気体の漏れ出しを効果的に防止することができ、また、該ストロー組立部材１０を裏返すことができることから、内部をきれいに洗え、洗浄が容易であるので、高い洗浄効果が得られる。
【００２８】
図５に示すように、本考案は、湾曲状を呈する湾曲管材１２及び先端が尖った形状を呈する突刺し管材１３をさらに備え、該湾曲管材１２及び突刺し管材１３の一端が、前記連結部材２０を介して、前記ストロー組立部材１０と連結され、該湾曲管材１２は、ストロー組立部材１０の延伸方向に沿った直線部と、該直線部との間に９０度以上１８０度未満の角度を有する傾斜部とを含む湾曲構造であるが、これに限定されるものではなく、例えば、平面視で円弧形状となる構造であってもよい。また、前記突刺し管材１３は、前記ストロー組立部材１０と連結される一端の反対端が、斜めに切断されるような外形を呈しているが、これに限定されるものではなく、本考案に係るストローを利用する際に、飲み口にアルミ箔やフィルム状封止材などを利用した飲料品に対して、容易に突き刺せる外形を呈していればよいので、本考案のストローは、飲料品に付いている使い捨てタイプのストローの代わりに使用できる。
【００２９】
本考案は、前記連結部材２０を介して、組立や分解することが可能であることから、使用しない時に、ストローを分解して簡単に収納でき、使用時には、該連結部材２０を利用して、隣接する前記ストロー組立部材１０を互いに連結してストローを形成する。前記ストロー組立部材１０は、一般的に利用されているストローと比べると、その長さがかなり短いので、洗浄が容易で、且つ携帯し易く、さらに、前記複数のストロー組立部材１０のうちのいずれかが破損したり紛失したりした場合、当該ストロー組立部材１０を取り換えればよいだけであることから、既存の繰り返し使用可能なストローのように、ストローをすべて捨てることはないので、経済的であり、且つ環境にも優しい。
【００３０】
以上の説明は、本考案の好ましい実施形態に過ぎず、本考案に対して何ら限定を行うものではない。本考案について、比較的好ましい実施形態をもって上記のとおり開示したが、これは本考案を限定するものではなく、すべての当業者が、本考案の技術構想を逸脱しない範囲において、本考案の技術の本質に基づいて上記の実施形態に対して行ういかなる簡単な修正、変更及び修飾も、依然としてすべて本考案の技術構想の範囲内にある。
【符号の説明】
【００３１】
１０  ストロー組立部材
１１  段差部
１２  湾曲管材
１３  突刺し管材
２０  連結部材
２１  連結凸部
２２  連結凹部
２３  環状突起
２４  環状溝
【図１】
0003227586.tif 000003
【図２】
0003227586.tif 000004
【図３】
0003227586.tif 000005
【図４】
0003227586.tif 000006
【図５】
0003227586.tif 000007
【図６】
0003227586.tif 000008